Podtech/llm-jp-corpus-v4-ja_patent huggingface dataset:
(57)【要約】      （修正有）【課題】任意の複雑な形状をした薄板を、変形を避けて、複雑な形状に倣って、極めて狭い間隔で、多数の点で支持する多点支持装置を提供する。【解決手段】ハウジング７内に、平行に、且つ、間隔をおいて、組み込まれた多数のストッパーピン１と、該ストッパーピン１の外周に隙間嵌めで装着したゴム製の薄肉チューブ２を備え、且つ、該薄肉チューブ２の両端面に、軸方向に加圧されるフランジ部３を、該薄肉チューブ２と一体構造で設ける。【選択図】    図１
2004327949.tif 000002
【特許請求の範囲】
【請求項１】
ハウジング内に、平行に、且つ、間隔をおいて、組み込まれた多数のストッパーピン（１）と、該ストッパーピンの外周に隙間嵌めで装着したゴム製の薄肉チューブ（２）を備え、且つ、該薄肉チューブの両端面に、軸方向に加圧されるフランジ部（３）を、該薄肉チューブと一体構造で設けたことを特徴とする、多点支持装置。
【発明の詳細な説明】
【０００１】
［産業上の利用分野］
任意の複雑な形状をした薄板を、変形を避けて支持することが要求される、例えば、印刷、配線、溶着等に関する分野。
【０００２】
［従来技術］
（１）ロッドにテーパー部を設け、このテーパー部に鋼球を食い込ませるタイプの多点ストッパー。
（２）エァシリンダのピストンロッド外周にブレーキ部材をかんごうし、該ブレーキ部材の外周にゴム製のチュウーブを装着し、該チューブの外周を加圧するタイプの、エァシリンダ用ブレーキ装置。
【０００３】
［発明が解決しようとする課題］
本願発明の課題は、複雑、且つ、任意の形状に倣うために、狭い範囲に独立した多数の支持点を可能とする、新規な極めて小型のストッパー機構を提供することである。
【０００４】
［課題を解決しようとするための手段］
ストッパーピンの外周に、隙間嵌めで装着する薄肉チューブの端面にフランジ部を一体構造で設けて、このフランジ部にも加圧することにより、薄肉チューブに軸方向の引っ張り弾性変形を生じさせ、この引っ張り弾性変形に基づくチューブ内径の減少を利用し、且つ、薄肉チューブの軸方向の固定を確実にする。又、このフランジ部の弾性変形に伴う、チューブ内径の変形を、ストッパーピンとの固定と開放の両方に有効に利用する。
【０００５】
［発明の実施の形態］
図面にしたがつて説明する。
図１は、本願発明の多点支持装置の、部分断面拡大図であり、実際は、ストッパーピン１が等間隔（８ｍｍ間隔）に多数並んでいる。
ストッパーピン１はハウジング７にガイドされて、且つ、スプリング３に逆らって軸方向に移行する、５はストッパーである。
ゴム製の薄肉チューブ２は、その内径が、ストッパーピン１の外径と隙間嵌めの状態で、ハウジング７に加工された加圧室８に組み込まれている。
又、薄肉チューブ２の両端面には、エァ圧を受けるフランジ部が、一体構造で設けられている。ここで、薄肉チューブ２の材質について述べると、請求の範囲等に記した、ゴム製とは、ウレタンゴム、ニトリルゴム、等に代表される材質であるが、他の条件次第では、ナイロン等の合成樹脂の使用も考えられる。次に、動作について述べる。
給排気口９から排気された状態では、ストッパーピン１と薄肉チューブ２は隙間嵌めの状態であり、スプリング４により、ストッパー５によって拘束されるまで飛び出している。この状態で、多数のストッパーピン１の上に、複雑な形状のワークをセットすると、それぞれのストッパーピン１が複雑な形状に倣って引っ込む。この状態で、給排気口９から加圧すると、薄肉チューブ２は、軸方向に引っ張られると同時に径方向に圧縮される。
このことで、ストッパーピン１の外周と薄肉チューブ２の内周が摩擦力で固定され、且つ、薄肉チューブ２のフランジ部３がハウジング７の加圧室の端面に、弾性変形を伴って、エァ圧により押し付けられる。
よって、薄肉チューブ２即ちストッパーピン１がハウジング７に、それぞれ、ワークの形状に倣った位置で固定されることになる。
この状態で、ワークの逆面、ストッパーピンと逆側の面に、印刷、配線、溶着、はんだ付け、等が安定して出来ることになる。
次に、ワークを取り外した状態で、給排気口９から排気すると、薄肉チューブ２のチューブ部自体の弾性とフランジ部３の弾性が共に、チューブの内径が広がる方に働き、最初の隙間嵌めの状態になる。
【０００６】
2004327949.tif 000003
以上のものを、２列で２８本組み込んだ装置で、供給エァ圧  ０・４ＭＰａで、実施した結果、それぞれのストッパーピンの支持力として、０・５Ｎを確認した。
【０００７】
［発明の効果］
１、極めて狭い間隔で、多数のピンをそれぞれ任意の位置で固定することが出来き、複雑な形状に倣った支持が可能となる。
２、薄肉チューブに、径方向と同時に軸方向にも加圧することで、安定した弾性変形の繰返しが可能となり、且つ、軸方向のガタの無い固定を可能とする。３、装置全体の小型化及び、コストの低減に貢献する。
【図面の簡単な説明】
【図１】本願発明の部分断面図。
【符号の説明】
（１）は、ストッパーピン。
（２）は、薄肉チューブ。
（３）は、フランジ部。
（４）は、スプリング。
（５）は、ストッパー。
（６）は、スプリングガイド。
（７）は、ハウジング。
（８）は、加圧室。
（９）は、給排気口。
【図１】
2004327949.tif 000004
(57)【要約】【課題】スペースの有効活用が可能で、維持管理を容易になし得るユニットバスの提供。【解決手段】ユニットバス本体１内を任意の側壁と平行な隔壁２により仕切って幅の狭いタンク室３を画成し、このタンク室内に深夜、夜間電力を利用する電気ヒーターを組み込んだ薄い箱形の貯湯タンク４を収容した。【選択図】        図１
2004309089.tif 000002
【特許請求の範囲】
【請求項１】
ユニットバス本体内を任意の側壁と平行な隔壁により仕切って幅の狭いタンク室を画成し、このタンク室内に深夜、夜間電力を利用する電気ヒーターを組み込んだ薄い箱形の貯湯タンクを収容したことを特徴とするユニットバス。
【請求項２】
前記貯湯タンク下部若しくはタンク室内、又はユニットバス本体内に設置された浴槽の一角内に、浴槽追い焚き用熱交換器及び循環ポンプを組み込んだことを特徴とする請求項１記載のユニットバス。
【発明の詳細な説明】
【０００１】
【発明の属する技術分野】
本発明は、新築又は既存の集合住宅等に用いられ、安価な深夜、夜間電力を利用する電気熱源方式の貯湯型給湯器（電気温水器）から給湯されるユニットバス（浴室ユニット）に関する。
【０００２】
【従来の技術】
従来、この種のユニットバスの電気温水器は、ユニットバスとは別置きで、電気ヒーターを組み込んだ円筒形の貯湯タンクを備えている。
【０００３】
【発明が解決しようとする課題】
しかし、従来のユニットバスでは、電気温水器が円筒形であるため、その設置スペースとして、電気温水器の実質的な断面積より大きな正方形の約１ｍ２の面積が必要となり、スペースの有効活用を妨げる不具合がある。
又、電気温水器がユニットバスと別置きになっているため、両者の維持管理が煩雑となる不具合もある。
【０００４】
そこで、本発明は、スペースの有効活用が可能で、維持管理を容易になし得るユニットバスを提供することを課題とする。
【０００５】
【課題を解決するための手段】
前記課題を解決するため、本発明のユニットバスは、ユニットバス本体内を任意の側壁と平行な隔壁により仕切って幅の狭いタンク室を画成し、このタンク室内に深夜、夜間電力を利用する電気ヒーターを組み込んだ薄い箱形の貯湯タンクを収容したことを特徴とする。
【０００６】
前記貯湯タンク下部若しくはタンク室内、又はユニットバス本体内に設置された浴槽の一角内には、浴槽追い焚き用熱交換器及び循環ポンプを組み込んであることが好ましい。
【０００７】
【作用】
本発明のユニットバスにおいては、電気ヒーターを組み込んだ貯湯タンクが、その周りに無駄なスペースを形成することなく、ユニットバス本体と一体化する。
【０００８】
【発明の実施の形態】
以下、本発明の実施の形態について図面を参照して説明する。
図１、図２は本発明に係るユニットバスの実施の形態の一例を示す概念的な斜視図、平面図である。
【０００９】
図中１はパネル方式、キュービック方式又はパネル・キュービック結合方式の直方体状の箱形をなすユニットバス本体で、このユニットバス本体１内には、その短辺側の側壁と平行な隔壁２によって仕切られた幅の狭いタンク室３が画成されている。
タンク室３内には、安価な深夜、夜間電力を利用する電気ヒーター（図示せず）が組み込まれ、容量２００リットル（ワンルームタイプ）から５００リットル（フアミリータイプ）程度のステンレス鋼板又は鋼板等からなる薄い箱形の貯湯タンク４が収容されている一方、ユニットバス本体１内に設置された浴槽５の一角内には、電気熱源方式でプレート式等のコンパクト型、高性能の浴槽追い焚き用熱交換器６及び循環ポンプ７が収容されていると共に、これらの機器を点検すべく浴槽５の側壁に設けた点検口（図示せず）を開閉する点検扉８が設けられている。
そして、貯湯タンク４及び浴槽５等には、図示は省略するが、補給水配管、給湯配管、循環追い焚き系統配管、熱源電力配線、全自動（湯張り、追い焚き等）、半自動運転、その他のメニューを有する制御装置等が装備されている。
図１、図２において９は洗い場１０に設けた目皿板、１１は洗い場１０の出入口（図示せず）に設けた扉である。
【００１０】
なお、上述した実施の形態においては、タンク室３をユニットバス本体１の短辺側に設ける場合について説明したが、これに限定されるものではなく、ユニットバス本体１内を、その長辺側の側壁と平行な隔壁により仕切って幅の狭いタンク室を画成するようにしてもよい。
又、浴槽追い焚き用熱交換器６及び循環ポンプ７は、浴槽５の一角内に収容する場合に限らず、貯湯タンク４下部又はタンク室３内に収容するようにしてもよい。
この場合、それらの機器を点検する点検口及び点検扉１２は、図２において二点鎖線で示すように、廊下等に面したユニットバス本体１の側壁に設けるようにする。
【００１１】
【発明の効果】
以上説明したように、本発明のユニットバスによれば、電気ヒーターを組み込んだ貯湯タンクが、その周りに無駄なスペースを形成することなく、ユニットバス本体と一体化するので、従来のものに比べてスペースの有効活用が可能となると共に、維持管理を容易にすることができ、ひいては全電化マンションとしての改修工事や新築工事での採用にメリットが大きい。
【００１２】
一方、貯湯タンク下部若しくはタンク室内、又はユニットバス本体内に設置された浴槽の一角内に、浴槽追い焚き用熱交換器及び循環ポンプを組み込むことにより、スペースの一層の有効活用が可能となる。
【図面の簡単な説明】
【図１】本発明に係るユニットバスの実施の形態の一例を示す概念的な斜視図である。
【図２】本発明に係るユニットバスの実施の形態の一例を示す概念的な平面図である。
【符号の説明】
１  ユニットバス本体
２  隔壁
３  タンク室
４  貯湯タンク
５  浴槽
６  熱交換器
７  循環ポンプ
８  点検扉
【図１】
2004309089.tif 000003
【図２】
2004309089.tif 000004
(57)【要約】【課題】容疑者や反抗車両等をより一層特定し易くなる防犯用投てきボールを提供する。【解決手段】所定の衝撃により破砕可能とした合成樹脂製の中空のボール本体内に、被投てき対象に付着可能なアンモニアなどの匂い成分を混入した蛍光塗料を充填し、投げられたボールが容疑者や逃走車両などに当たった時点でその衝撃によりボール本体が破砕して、ボール本体内に充填していた塗料が、周辺に飛散して容疑者や逃走車両に付着すると共に、塗料に混入させた匂い成分も容疑者や逃走車両に付着するようにした。【選択図】  図２
2004309010.tif 000002
【特許請求の範囲】
【請求項１】
所定の衝撃により破砕可能としたボール本体内に、被投てき対象に付着可能な匂い成分を混入した充填物が充填されていることを特徴とする防犯用投てきボール。
【請求項２】
充填物が塗料からなることを特徴とする請求項１に記載の防犯用投てきボール
【発明の詳細な説明】
【０００１】
【発明の属する技術分野】
本発明は、犯罪時の逃走車両や容疑者に投げつけて、内部に充填している塗料を逃走車両や容疑者に付着させるのに用いる防犯用投てきボールに関する。
【０００２】
【従来の技術】
従来、犯罪時の逃走車両や容疑者に投げつけて用いる防犯用投てきボールは、破砕可能な球状のボール本体内に蛍光塗料などを充填して成り、使用に際しては、例えば逃亡する犯人や車にめがけて投げつけてボール本体を破砕させて、ボール本体内に充填された塗料を犯人や車両に付着させて、犯人や逃走車両などの発見、逮捕の助けとなるようにしている。
【０００３】
（特許文献１参照）
【０００４】
【特許文献１】
登録実用新案公報登録第３０５８５２９号
【０００５】
【発明が解決しようとする課題】
しかしながら、以上の防犯用投てきボールは、車両や容疑者などの衣服に塗料を付着させることが出来るにしても、例えば容疑者が塗料の付着した衣服の上にさらに上着などを重ね着したり、あるいは車両の塗料が付着した部分をシートなどで隠してしまうと、容疑者や逃走車両などの発見が困難となる問題がある。
【０００６】
本発明は以上の実情に鑑みて開発されたものであって、目的とするところは、容疑者等をより一層特定し易くなる防犯用投てきボールを提供するにある。
【０００７】
【課題を解決するための手段】
以上の目的を達成するために、請求項１に記載の発明は、所定の衝撃により破砕可能としたボール本体内に、被投てき対象に付着可能な匂い成分を混入した充填物が充填されていることを特徴とするものである。
【０００８】
請求項２に記載の発明は、請求項１に記載の充填物が塗料からなることを特徴とするものである。
【０００９】
【発明の実施の形態】
次に本発明の実施形態について図面を参照しながら説明する。
【００１０】
図１において符号１で示す防犯用投てきボールは、野球の硬式ボールとほぼ同じ大きさの中空球状に形成されたボール本体２が備えられている。
【００１１】
このボール本体２は、ポリスチレン樹脂から形成されて、所定の衝撃荷重が作用した時に容易に破砕するようにしている。
【００１２】
そしてこのボール本体２内には、油性の赤い蛍光塗料３が充填されており、またこの蛍光塗料３には、強い匂いのアンモニア成分が混入されている。
【００１３】
蛍光塗料は、赤色や黄色のような目立つ色が好ましい。
【００１４】
また匂いの成分としては、前述のアンモニア成分以外に、例えば一般社会では通常得ることのできない特殊な合成された匂い成分を用いることで、容疑者や逃走車両の特定が行い易くなるし、あるいは警察犬が感知し易い匂い成分を用いることで、警察犬による容疑者等の発見がより一層行い易くなる。
【００１５】
以上の投てきボール１は、あまり軽すぎても、あるいはあまり重すぎてもよくなく、硬式野球で使用されるボールの重さに近い１１０ｇから１３０ｇ程度の重さとするのが好ましい。
【００１６】
前記した防犯用投てきボール１は、通常、取り出しやすい保管ケースなどに保管しておき、例えば強盗が押し入ったときに、逃走しようとする容疑者や逃走車両に向かって投げつけるのである。
【００１７】
そして投げられたボール１は、容疑者や逃走車両などに当たった時点でその衝撃によりボール本体２が破砕し、これにより、ボール本体２内に充填していた塗料が周辺に飛散して容疑者や逃走車両に付着すると共に、塗料に混入させた匂い成分も容疑者や逃走車両に付着する。
【００１８】
これにより、容疑者や逃走車両に付着している蛍光塗料だけでなく、容疑者や逃走車両に付着した特定の匂いによっても、容疑者または逃走車両を追跡、発見することが可能となり、たとえ、容疑者が塗料の付着した衣服の上にさらに上着などを重ね着したり、あるいは車両の塗料が付着した部分をシートなどで隠したりしても、容疑者や逃走車両などの特定が容易に行なえる。
【００１９】
以上の実施形態では、ボール本体２をポリスチレン樹脂から形成したが、これに限定されるものではなく、例えばポリエチレン樹脂やポリブロピレン樹脂から形成してもよい。
【００２０】
また図３に示すように、ボール本体２の表面に、例えばゴルフボールの表面に形成されているディンプルに似た凹部４を多数設けたり、あるいはボール本体２の表面を梨地などのような粗面に形成して、投げる際に手が滑り難くしてもよい。
【００２１】
また匂い成分としては、容易に匂いが消えないものや、あるいは専用除去剤でないと匂いが取れないものがより好ましい。
【００２２】
また以上の実施形態では、ボール本体２内に赤色の蛍光塗料３を充填したが、これに限定されるものではなく、蛍光塗料３に替えて例えば黄色などに着色された粉粒体を充填してもよい。
【００２３】
【発明の効果】
以上のごとく、請求項１に記載の発明によれば、所定の衝撃により破砕可能としたボール本体内に、被投てき対象に付着可能な匂い成分を混入した充填物が充填されていることにより、容疑者や逃走車両などに当たってボール本体が破砕するに伴い、ボール本体内に充填していた充填物及び充填物に混入する匂い成分が、容疑者や逃走車両に付着して、容疑者や逃走車両に付着する充填物だけでなく、容疑者や逃走車両に付着した匂いによっても、容疑者または逃走車両を追跡、発見することが出来て、容疑者や逃走車両などの特定が容易に行なえるに至ったのである。
【００２４】
また請求項２に記載の発明によれば、請求項１に記載の充填物が塗料から構成されていることにより、請求項１に記載の発明の効果に加えて、容疑者や逃走車両への充填物の付着が確実に行なえて、容疑者や逃走車両の特定がより一層行い易くなる。
【図面の簡単な説明】
【図１】本発明にかかる防犯用投てきボールの斜視図。
【図２】同、要部の断面図。
【図３】本発明にかかる防犯用投てきボールの別の実施形態を示す斜視図。
【符号の説明】
１      投てきボール
２      ボール本体
３      塗料（充填物）
４      凹部
【図１】
2004309010.tif 000003
【図２】
2004309010.tif 000004
【図３】
2004309010.tif 000005
(57)【要約】【課題】汎用マイコンでフラッシュメモリーに書きこまれたプログラムコードが変化しても安全性を確保することができる様にしたものである。【解決手段】入力信号確定手段１と、前記入力手段の確定結果を判定する複数の入力信号判定手段２と、前記複数の入力信号判定手段２の結果が全て一致した時には通常の処理を実行し、全ての一致を得られなかったときには器具を停止状態にする処理を行う実行処理判定手段２をフラッシュメモリーに搭載した構成としてある。【選択図】  図１
2004309009.tif 000002
【特許請求の範囲】
【請求項１】
入力信号確定手段と、前記入力手段の確定結果を判定する複数の入力信号判定手段と、前記複数の入力信号判定手段の結果が全て一致した時には通常の処理を実行し、全ての一致を得られなかったときには器具を停止状態にする処理を行う実行処理判定手段をフラッシュメモリーに搭載した構成とした給湯機の制御装置。
【請求項２】
実行処理判定手段は、Ｍ個の入力信号判定手段の判定結果のそれぞれの個数の差の絶対値をＮとし、Ｎが３以上の時には通常の処理を実行し、Ｎが２以下の時には器具を停止状態にする処理を行う構成とした、請求項１に記載の給湯機の制御装置。
【発明の詳細な説明】
【０００１】
【発明の属する技術分野】
本発明は、フラッシュメモリーに書きこまれたプログラムコードが変化しても安全性を確保する構成とした給湯機の制御装置に関するものである。
【０００２】
【従来の技術】
従来、給湯機を制御するマイコンのプログラムコードは、マスクＲＯＭに書き込まれていたが、近年では後からプログラムコードを書き換えできるフラッシュメモリーを使用することが増えてきている。フラッシュメモリーは一般的に記憶保証時間が約１０年程度であり、フラッシュメモリーに書きこんだプログラムコードが変化していないことを確認する手段が必要となる（例えば、特許文献１参照）。
【０００３】
図３は、前記公報に記載された従来のフラッシュメモリー内プログラムコードの正常確認手段を示すものである。図３において、１１はマイコン、１２はＣＰＵ、１３はＲＡＭ、１４はフラッシュメモリー、１５はＥ２ＰＲＯＭである。ＣＰＵ１２はフラッシュメモリー１４内のデータについてチェックサムによるデータ検査を行う。またＣＰＵ１２はフラッシュメモリー１４の全データのうち指定された一部領域のデータをＷ２ＰＲＯＭ１５に複写する。その後フラッシュメモリー１４およびＥ２ＰＲＯＭ１５内の同一データを対象に両メモリー内のデータを逐次比較し、各データが一致するかによりデータ検査を実施する。
【０００４】
【特許文献１】
特開２００２−３３４０２４号公報
【０００５】
【発明が解決しようとする課題】
しかしながら前記従来の構成では、別途Ｅ２ＰＲＯＭ１５が必要となり材料費が高くなる。またＣＰＵ１１にはフラッシュメモリー１４内のプログラムコードをデータとして読みこみチェックサムを計算する機能が必要となるが、全てのマイコンにＲＯＭコードを実行コードとしてではなく、データとして読む機能が備わっているわけではない等の課題があった。
【０００６】
【発明を解決するための手段】
本発明は上記課題を解決するために、入力信号確定手段と、前記入力手段の確定結果を判定する複数の入力信号判定手段と、前記複数の入力信号判定手段の結果が全て一致した時には通常の処理を実行し、全ての一致を得られなかったときには器具を停止状態にする処理を行う実行処理判定手段をフラッシュメモリーに搭載した構成とし、安全性に関わる部分に冗長性を持たせ、プログラムコードの変化を検出できる様にしたものである。これによって、Ｅ２ＰＲＯＭ等余計な部品追加無しに全ての汎用マイコンでフラッシュメモリーに書きこまれたプログラムコードが変化しても安全性を確保することができる。
【０００７】
【発明の実施の形態】
請求項１に記載の発明は、入力信号確定手段と、前記入力手段の確定結果を判定する複数の入力信号判定手段と、前記複数の入力信号判定手段の結果が全て一致した時には通常の処理を実行し、全ての一致を得られなかったときには器具を停止状態にする処理を行う実行処理判定手段をフラッシュメモリーに搭載した構成としたものである。
【０００８】
そして、一ヶ所でもプログラムコードの変化を検出すれば、給湯器を安全停止することができる。
【０００９】
請求項２に記載の発明は、実行処理判定手段は、Ｍ個の入力信号判定手段の判定結果のそれぞれの個数の差の絶対値をＮとし、Ｎが３以上の時には通常の処理を実行し、Ｎが２以下の時には器具を停止状態にする処理を行う構成としたものである。
【００１０】
そして、プログラムコードが数ヶ所変化しても安全に給湯機を制御することができる。
【００１１】
【実施例】
以下、本発明の実施例に付いて図面を用いて説明する。
【００１２】
（実施例１）
図１は本発明の第１の実施例による給湯機の制御装置のアルゴリズムを示すフローチャートである。
【００１３】
図１において、１は入力信号確定手段としての炎信号検出処理で、炎信号有り無しの確定を行う。２は入力信号判定手段および実行処理判定手段で、燃焼中か立ち消え中かを判定し、２回共一致すれば、着火・立ち消え処理プログラム３に行き通常処理を行い、一致しなければ給湯機動作停止処理へ行き、給湯器を安全停止させる。
【００１４】
（実施例２）
図２は本発明の実施例２の給湯機の制御装置のアルゴリズムを示すフローチャートである。実施例１と異なるところは入力信号判定手段５を複数個持ち、それぞれで着火／立ち消え判定結果をカウントし、実行処理判定手段６でその差の絶対値を判定手段としている点である。
【００１５】
【発明の効果】
以上のように本発明によれば、一ヶ所でもプログラムコードの変化を検出すれば、給湯器を安全停止することができ、安全性に関わる部分に冗長性を持たせ、プログラムコードの変化を検出できる様にしたものである。これによって、Ｅ２ＰＲＯＭ等余計な部品の追加無しに全ての汎用マイコンでフラッシュメモリーに書きこまれたプログラムコードが変化しても安全性を確保することができる。
【図面の簡単な説明】
【図１】本発明の実施例１の給湯機の制御装置のアルゴリズムを示すフローチャート
【図２】本発明の実施例２の給湯機の制御装置のアルゴリズムを示すフローチャート
【図３】従来のフラッシュメモリー内プログラムコードの正常確認手段の構成図
【図１】
2004309009.tif 000003
【図２】
2004309009.tif 000004
【図３】
2004309009.tif 000005
(57)【要約】【課題】加熱部に沸騰発生部を設け、また沸騰発生部の吐出口周辺に電極を設け、湯水の温熱効果を高める装置を提供する。【解決手段】加熱部（２）に沸騰発生部（３）を設け、沸騰発生部（３）の吐出口（５）の周辺に電極（６）（７）を設ける。【選択図】図１
2004309096.tif 000002
【特許請求の範囲】
【請求項１】
電熱パイプヒーター等の加熱する部分に加熱表面とある間隔を保った板状、円筒状また角筒状の形状で耐熱性の材料で形成された沸騰発生部を設けたことを特徴とする湯水の温熱効果を高める装置。
【請求項２】
ボイラーの熱交換等の加熱する部分に加熱表面とある間隔を保つ板状、円筒状また角筒状の形状で耐熱性の材料で形成された沸騰発生部を設けたことを特徴とする湯水の温熱効果を高める装置。
【請求項３】
請求項１、請求項２において沸騰発生部の湯水の沸騰による噴出口また湯水の出入口周辺に正負イオンを発生させるための電極を設けたことを特徴とする湯水の温熱効果を高める装置。
【発明の詳細な説明】
【００１】
【発明の属する技術分野】
この発明は湯水を沸騰させることと、これに正負のイオンを与える事により、湯水の温熱性が顕著に上昇することを実験により知見した、したがって沸騰させる機能また正負イオンを発生させる機能を有する装置に関するものである。
【００２】
【従来の技術】
従来の温熱効果のある湯に入浴するには入浴剤の利用、天然温泉に入浴、天然温泉を搬送する等の方法が用いられる。
【００３】
【発明が解決しようとする課題】
これは次のような欠点があった。（イ）入浴剤で温熱効果を得ることは期待が低い。また多く入浴剤を使用した場合、皮膚を痛める恐れもある。
（ロ）天然温泉に入場する場合には体調と泉質が適合するかどうか事前に調査をすること、またある程度滞在し入浴することが必要であり、費用も掛かる。
（ハ）天然温泉の特徴として源泉より湧出してからは時間の経過とともに温熱効果が減衰する，したがって輸送は好ましくない。
【００４】
【課題を解決するための手段】
加熱部（２）に沸騰発生部（３）を設ける、沸騰発生部（３）の吐出口（５）の周辺に電極（６）（７）を設ける。
【００５】
【発明の実施の形態】
以下本発明の実施の形態を説明する。
（イ）図１電熱、パイプヒーター（１）の加熱発生部（２）に沸騰発生部（３）が掛止されている，沸騰発生部（３）は耐熱性で低熱伝導の材料で形成されている，また加熱部（２）の加熱発生する表面と対向する沸騰発生部（３）の表面はある間隔（４）を保っている。容器（９）に湯水が満たされた状態で電熱、パイプヒーター（１）の加熱部（２）と沸騰発生部（３）との間隔内の湯水は短時間に温度上昇し沸騰する，沸騰した湯水は吐出口（５）より噴出する，噴出が終わると未噴騰の湯水は侵入口（１３）等より浸水し沸騰をおこす，この状態を繰り返し一度沸騰した湯水を得る。また噴出される沸騰湯水の流れに影響される位置に、電極（６）（７）を有するイオン発生部（８）が設けられている，この電極には制御部から正負また低周波の電圧が印加され、電極（６）（７）間に通電される、また噴出する湯水により各電極面は洗われ機能低下を生じない。
（イ）図２は燃焼器を用いた例である。
ボイラーの熱交換（１０）の加熱部（１１）に沸騰発生部（３）が掛止されている、沸騰発生部（３）は耐熱性で低熱伝導の材料で形成されている、加熱部（１１）の加熱発生する表面と対向する沸騰発生部（３）の表面はある間隔（４）を保っている。容器（１２）に湯水が満たされた状態で、熱交換（１０）にバーナー等の燃焼により炎熱が流されると、熱交換（１０）の加熱部（１１）の加熱発生する表面と沸騰発生部（３）との間隔内の湯水は、短時間に温度上昇し沸騰する。沸騰した湯水は吐出口（５）より噴出する。噴出が終わると未沸騰の湯水は侵入口（１３）等より浸水し沸騰を起こす，この態を繰返し１度沸騰した湯水を得る。また噴出される沸騰湯水の流れに影響される位置に電極（６）（７）を有するイオン発生部（８）が設けられている，この電極には制御部から正負または低周波の電圧が印加され、電極（６）（７）間に通電される，また噴出する湯水により各電極面は洗われ機能低下を生じない。
【００６】
【発明の効果】
本発明を用いる事により、温熱効果の高い湯水が得られ、入浴などで身体が温まり健康な生活の向上となる、また無駄な湯浴びがなくなり節水、節エネルギーとなる。
【図面の簡単な説明】
【図１】本発明の断面図
【図２】本発明の断面図
【図３】本発明の使用状態を示す図
【符号の説明】
１．  電熱パイプヒーター
２．  加熱発生部
３．  沸騰発生部
４．  間隔
５．  吐出口
６．  電極
７．  電極
８．  イオン発生部
９．  容器
１０．ボイラーの熱交換
１１．加熱部
１２．容器
１３．侵入口
【図１】
2004309096.tif 000003
【図２】
2004309096.tif 000004
【図３】
2004309096.tif 000005
(57)【要約】      （修正有）【課題】開封した飲料物を容易に収納できるクーラーボックスを提供する。【解決手段】クーラーボックス本体１の蓋体３の任意位置に、缶ジュース、ペットボトル等の飲料物を挿入するための少なくとも１個以上の孔部と、この孔部を施蓋する蓋体５と、この開口部の下部に伸縮自在のドリンクホルダーを、備えたことを特徴とする。【選択図】図１
2004309097.tif 000002
【特許請求の範囲】
【請求項１】
クーラーボックス本体の蓋体の任意位置に、缶ジュース、ペットボトル等の飲料物を挿入するための少なくとも１箇所以上の孔部と、この孔部を施蓋する蓋体と、この孔部の下部に伸縮自在のドリンクホルダーを備えたことを特徴とするドリンクホルダー付クーラーボックス。
【発明の詳細な説明】
【０００１】
【発明の属する技術分野】
この発明はクーラーボックス本体の蓋体に伸縮自在のドリンクホルダーを付けたドリンクホルダー付クーラーボックスに関するものである。
【０００２】
【従来の技術】
従来，クーラーボックスから取り出したペットボトルや缶ジュース等の飲料物は、開封後ぬるくならないように再度クーラーボックスの中に入れて保存し、飲みたいときに蓋を開けて飲料物を取り出していた。
【０００３】
【発明が解決しようとする課題】
これは次のような欠点があった。
（イ）開封した飲料物をクーラーボックス内に保存した時，震動や持ち運びの際，中でこぼれてしまう事があった。
（ロ）缶ジュース等を飲食する際に外に置いてしまうと冷たくなくなりおいしく飲食出来なかった。
（ハ）屋外の砂場や芝生などの床が安定しないところでは、飲料物が安定せず倒して中身をこぼしてしまうことがあった。。
（ニ）飲んでいる際，中の飲料物をクーラーボックスから出したりしまったりするのが大変面倒だった。
【０００４】
【課題を解決するための手段】
クーラーボックス本体の蓋体の任意位置に、缶ジュース、ペットボトル等の飲料物を挿入するための少なくとも１個以上の孔部と、この孔部を施蓋する蓋体と、この開口部の下部に伸縮自在のドリンクホルダーを備える。
以上の構成よりなるドリンクホルダー付クーラーボックス。
【０００５】
【発明の実施の形態】
以下，本発明の実施の形態について説明する。
（イ）クーラーボックス本体（１）は、容器体（２）と分離可能な蓋体（３）から構成され、容器体（２）の長手側面上部に４箇所配置された鍵型の留め具（４）によって、容器体（２）に蓋体（３）が施蓋可能に形成されている。
（ロ）蓋体（３）の任意位置に缶ジュース、ペットボトル等の飲料物を挿入するための円形孔（７）を設ける
（ハ）図３に示すように、円形孔（７）の上部には、圧入して施蓋する円形蓋〔５〕を設け、更にこの円形孔（７）の中間部には円形蓋（５）を支えるためのリング状の支持部（８）を設け、円形蓋（５）の上部に取っ手（６）を設ける。
（ニ）支持部（８）の下部にジャバラ式のドリンクホルダー（９）の上縁を接着する。
（ホ）ドリンクホルダー（９）は、最も縮めた状態で、円形孔の下部に収納できるほどの大きさに形成されている。
本発明は以上のような構造で，これを使用する時は，取っ手（６）を指でつまみ円形蓋（４）を持ち上げて開け、ドリンクホルダー（６）をペットボトル（１１）や缶ジュース（１０）等の高さに応じて適当な位置まで伸ばし飲料物を差込み保存する。
またドリンクホルダー（６）を使用しない時はドリンクホルダー（６）を縮ませ、容器（３）の中に食物及び飲料水等を多く保存する事が出来る。
【０００６】
【発明の効果】
本発明を使用する事により、蓋を開けた飲料物をドリンクホルダーに差した状態で保持できるので、飲食物を冷えた状態に保つ事が出来、いつまでもおいしく飲食出来る。また、飲んでいる際中のものをクーラーボックスから出したり，しまったりする手間や，蓋を開けたり閉めたりする煩わしさが省けて楽である
屋外の砂場や芝生などの床が安定しないところでは、缶ジュースを置く場所にも困らない。
さらに、ドリンクホルダーが伸縮自在なため，高さの異なる飲料物を適当な高さに調節する事が出来る。なおドリンクホルダーを使用しない時はドリンクホルダーを縮ませる事が出来るためクーラーボックス本体の中に、，より多くの飲食物を保存する事が出来る。
また、クーラーボックス本体の蓋体と容器体が分離可能なので、ドリンクホルダーに缶ジュースを差したままでも中の飲料水を取り出すことができる。
【図面の簡単な説明】
【図１】本発明の斜視図
【図２】本発明の分解斜視図
【図３】本発明の拡大一部断面図
【図４】本発明の使用状態を示す拡大一部断面図
【図５】本発明の使用状態を示す拡大一部断面図
【符号の説明】
１クーラーボックス本体                        １１ペットボトル
２容器体
３蓋体
４留め具
５円形蓋
６取っ手
７円形孔
８支持部
９ジャバラ
１０缶ジュース
【図１】
2004309097.tif 000003
【図２】
2004309097.tif 000004
【図３】
2004309097.tif 000005
【図４】
2004309097.tif 000006
【図５】
2004309097.tif 000007
(57)【要約】【課題】我が国に対する他国からの弾道ミサイルによる攻撃から、国民の生命、安全、財産を護る事は非常に重要な事項であるが、従来の弾道弾迎撃ミサイルは、他国から飛来する当該弾道ミサイルに対して、飛行経路の前方又は下方から接近して、これに命中させるものであった。この場合、秒速６〜７ｋｍで飛来する当該弾道ミサイルに正確かつ確実に、迎撃ミサイルを命中させることは、非常に困難であった。近年、国際的な核拡散の動向にあって、我が国に飛来する弾道ミサイルを確実に迎撃する技術の確立は急務の課題であった。【解決手段】秒速６〜７ｋｍで飛来する弾道ミサイルをに対して、当該弾道ミサイルの飛行経路の上方後方から迎撃ミサイルを接近させることにより、弾道ミサイルと迎撃ミサイルの相対速度差を極力小さくして、正確かつ確実に当該弾道ミサイルを攻撃、命中、撃墜させる。【選択図】図１
2004309099.tif 000002
【特許請求の範囲】
【請求項１】
他国より我が国に対して発射された弾道ミサイルを、当該弾道ミサイルの後方より迎撃ミサイルを接近させて命中、攻撃、撃墜する。
【請求項２】
請求項１記載の目的を達成する為に、迎撃ミサイルを当該弾道ミサイルの飛行経路の上空に打ち上げ、当該弾道ミサイルの上空より、重力及び当該迎撃ミサイルの推進力を利用して、目標の当該弾道ミサイルに接近する。
【請求項３】
請求項１および請求項２の記載方法により、当該弾道ミサイルの後方に到達した迎撃ミサイルより、対空火器により当該弾道ミサイルを攻撃、撃墜することにより、複数の飛来する弾道ミサイルを攻撃、撃墜する。
【発明の詳細な説明】
【０００１】この発明は、我が国に対する他国からの弾道ミサイルによる攻撃から、国民の生命、安全、財産を護る事に寄与するものである。
【発明の属する技術分野】
【０００２】本発明は、他国より我が国に対して発射された弾道ミサイルを、迎撃する為の、弾道弾迎撃ミサイルの飛行方法に関するものである。
【従来の技術】
【０００３】従来の弾道弾迎撃ミサイルは、他国から飛来する当該弾道ミサイルに対して、飛行経路の前方又は下方から接近して、これに命中させるものであった。この場合、秒速６〜７ｋｍで飛来する当該弾道ミサイルに正確かつ確実に、迎撃ミサイルを命中させることは、非常に困難であった。
【発明が解決しようとする課題】
【０００４】本発明は、秒速６〜７ｋｍで飛来する弾道ミサイルを、正確かつ確実に撃墜させることの困難さを解決しようとするものである。
【課題を解決するための手段】
【０００５】秒速６〜７ｋｍで飛来する弾道ミサイルをに対して、後方から迎撃ミサイルを接近させることにより、当該弾道ミサイルと迎撃ミサイルの相対速度差を極力小さくして、正確かつ確実に当該弾道ミサイルを攻撃、命中、撃墜させる。
【発明の実施の形態】
【０００６】２段式の迎撃ミサイルにより、１段目にて迎撃ミサイルを当該弾道ミサイルの飛行経路の上空に打ち上げ、２段目にて当該弾道ミサイルの上空より、重力及び推進力を利用して、目標の当該弾道ミサイルに接近させ、目的を達成する。
【実施例】
【０００７】以下図面を参照して本発明の好適な実施例について詳述する。
第１図は、本発明の弾道弾迎撃ミサイルの飛行経路を示した側面図である。
他国（Ａ地点）より我が国に対して発射された弾道ミサイルに対して、我が国（Ｂ地点）より迎撃ミサイルを当該弾道ミサイルの飛行経路の上空（Ｃ地点）に打ち上げ、上空より重力及び推進力を利用して、目標の当該弾道ミサイル（Ｄ地点）に後方より接近させて命中、攻撃、撃墜する。その際、複数の飛来する弾道ミサイルを攻撃、撃墜することを可能とする為、対空火器も装備するものとする。
【発明の効果】
【０００９】我が国に弾道軌道を描いて飛来するミサイルに対して、これを確実に無力化させる効果を持つ。
【図面の簡単な説明】
【図１】弾道弾迎撃ミサイルの飛行経路を示した側面図である。
【符号の説明】
無し
【図１】
2004309099.tif 000003
(57)【要約】【課題】歯周病の原因菌によって産生される硫化水素，メチルカプタン，ジメチルサルファイドに反応して呈色変化する試薬を塗布した検査片及び該試薬を溶解した検査液を提供し、歯周病にかかっているか否かを、簡便に知ることができるようにする。【解決手段】１は歯周病検査片で、該歯周病検査片１には、歯周病原因菌により産生される硫化水素，メチルメルカプタン，ジメチルサルファイド等の硫化物に接触して呈色変化する酢酸鉛が塗布された呈色変化部２が設けられている。この歯周病検査片１の呈色変化部２に、口腔外で唾液を接触させたり、呼気を吹きかける等すると、唾液中や呼気中の硫化物に反応して呈色変化部２の色が黒又は褐色（硫化物が少ない場合）に変化する。【選択図】        図１
2004309283.tif 000002
【特許請求の範囲】
【請求項１】
唾液又は呼気に接触した際に、前記唾液中又は前記呼気中の硫化物に反応して色が変わる試薬が塗布されていることを特徴とする歯周病検査片。
【請求項２】
前記試薬は、酢酸鉛であることを特徴とする請求項１に記載の歯周病検査片。
【請求項３】
歯周病を検知するための歯周病検査液であって、該検査液は、唾液に接触した際に、前記唾液中の硫化物に反応して色が変わる酢酸鉛が溶解していることを特徴とする歯周病検査液。
【発明の詳細な説明】
【０００１】
【発明の属する技術分野】
本発明は、歯周病検査片及び歯周病検査液、より詳細には、歯周病の発見や歯周病の進行度合いを判断するのに用いて好適な歯周病検査片及び歯周病検査液に関する。
【０００２】
【従来の技術】
歯茎（歯肉）や歯を支える骨（歯槽骨）など、歯の周りの組織に起こる病気を歯周病という。歯周病の主な原因は、食べ物のカスに細菌が繁殖してできる歯垢（プラーク）である。歯についた歯垢を放っておくと、細菌の毒素が歯茎を侵食しはじめる。この状態を放置しておくと、歯の生え際などに歯肉炎とよばれる炎症が起こり、歯茎が腫れたり、歯を磨いたときなどに出血したりする。この段階でブラッシングなどのケアを行わないと、歯と歯茎の間に歯周ポケットができ、炎症が内部にまで進んで歯槽骨が破壊されはじめる。こうなると歯槽膿漏とよばれる疾患のはじまりで、触ると痛みをともなったり、患部から膿やガスが出たりして口臭が酷くなってくる。さらに症状が進むと、歯がグラグラしはじめ、ついには歯が抜けてしまうことになる。
【０００３】
上述のように、歯周病が進んでくると、口臭が酷くなってくるが、これは、歯周病の原因菌である口腔内嫌気性細菌が、含硫アミノ酸（システイン、メチオニン）を分解して硫化水素やメチルメルカプタンやジメチルサルファイド等の揮発性硫化物を発生させるためである。逆に言えば、これら、硫化水素やメチルメルカプタンやジメチルサルファイド等の揮発性硫化物を検出することができれば、歯周病を発見することができる。
【０００４】
而して、一般のユーザが、家庭で簡便に歯周病にかかっているか否かを知ることができれば、ブラッシングなどの適切なケアを行なうことで歯肉を健康な状態に戻したり、歯周病の進行を止めたりすることができ、予防医療の面からみて、非常に有効である。
【０００５】
【発明が解決しようとする課題】
本発明は、上述のごとき実情に鑑みてなされたもので、歯周病の原因菌によって産生される硫化水素，メチルメルカプタン，ジメチルサルファイド等の硫化物に反応して呈色変化する試薬を塗布した検査片及び該試薬を溶解した歯周病検査液を提供し、歯周病にかかっているか否かを、簡便に知ることができるようにすることを目的としてなされたものである。
【０００６】
【課題を解決するための手段】
本発明は、唾液又は呼気に接触した際に、前記唾液中又は前記呼気中の硫化物に反応して色が変わる試薬、具体的には、酢酸鉛が塗布されている歯周病検査片、及び、採取した唾液に添加して、その呈色反応により歯周病を判定可能とした試薬、具体的には、酢酸鉛を溶解した歯周病検査液であることを特徴としたものである。
【０００７】
【発明の実施の形態】
図１は、本発明による歯周病検査片の一実施例を示す図で、１は歯周病検査片で、該歯周病検査片１には、歯周病原因菌により産生される揮発性硫化物（硫化水素，メチルメルカプタン，ジメチルサルファイド）に接触して呈色変化する、例えば、酢酸鉛が塗布された呈色変化部２が設けられている。この歯周病検査片１の呈色変化部２に、口腔外で唾液を接触させたり、呼気を吹きかける等すると、唾液中や呼気中の硫化物に反応して呈色変化部２の色が黒又は褐色（硫化物が少ない場合）に変化する。この呈色変化部２の色変化によって、歯周病を発見し、或いはその進行度合いを知ることができる。
【０００８】
図２は、本発明による歯周病検査液の一実施例を示す図で、１１は、舐めたり、唾液を垂らしたりすることにより唾液を含ませた、例えば、給水紙等、１２は吸水紙１１の唾液を含んだ部分で、該吸水紙１１の唾液を含んだ部分１２に、前述の硫化水素，メチルメルカプタン，ジメチルサルファイド等の硫化物に反応する酢酸鉛を溶解した歯周病検査液１３をスポイト１４を用いて滴下（添加）することによて生じる色変化の度合いから歯周病の進行度合いを知ることもできる。
【０００９】
【発明の効果】
以上に説明したように、本発明の歯周病検査片又は歯周病検査液を用いることによって、一般家庭で歯周病を発見し、歯周病の進行度合いを予め知ることができ、重症になる前に歯科医院等に行って適切な処置を施してもらうことができる。
【図面の簡単な説明】
【図１】本発明の歯周病検査片の一実施例を示す図である。
【図２】本発明の歯周病検査液の一実施例を示す図である。
【符号の説明】
１…歯周病検査片、２…呈色変化部、１１…吸水紙、１２…唾液が付着した部分、１３…歯周病検査液、１４…スポイト。
【図１】
2004309283.tif 000003
【図２】
2004309283.tif 000004
(57)【要約】【課題】従来の濃度計では、液体の特性（密度及び粘度）を測定することができるが、試料載置電極２を腐食するような薬品は試料載置電極２にこの薬品を載置して測定している間に、薄い電極が腐食してしまうため、試料の測定範囲は限定されるという問題があった。【解決手段】１は圧電基板、２は試料載置電極、２ａ、２ｂは櫛形電極、３は送信用電極、３ａは送信用櫛形電極、４は受信用電極、４ａは受信用櫛形電極、５、６はリード線であり、これらの構成は上記従来例と同じであるので、説明は省略するが、本実施例では、圧電基板１の上に装着した試料載置電極２、櫛形電極２ａ、２ｂ、送信用櫛形電極３ａ、送信用電極３、受信用櫛形電極４ａ及び受信用電極４を覆うように耐薬品ポリマー膜７をコーティングする。【選択図】        図１
2004309278.tif 000002
【特許請求の範囲】
【請求項１】
板状の圧電基板と、該圧電基板の表面に蒸着されて対向する２辺に櫛形電極を設けた試料載置電極と、前記圧電基板上に載置され、前記試料載置電極の一方の櫛形電極に組み合わせる送信用櫛形電極を設けた送信用電極と、前記圧電基板上に載置され、前記試料載置電極の他方の櫛形電極と組み合わせる受信用櫛形電極を設けた受信用電極とからなる濃度計用センサにおいて、前記試料載置電極、前記櫛形電極、前記送信用櫛形電極、前記送信用電極、前記受信用櫛形電極及び受信用電極を覆うように耐薬品ポリマー膜をコーティングすることを特徴とする濃度計用センサ。
【発明の詳細な説明】
【０００１】
【発明が属する技術分野】
本発明は、弾性表面波によって、圧電基板上の試料の濃度を検出する濃度計用センサに関するものである。
【０００２】
【従来の技術】
従来、この種の濃度計として、図２に示すように、圧電基板１の上に試料を載置するための試料載置電極２を装着し、該試料載置電極２の１つ辺に櫛形電極２ａを装着し、櫛形電極２ａを設けた辺に対抗する辺に櫛形電極２ｂを装着し、櫛形電極２ａに組み合わせて送信用櫛形電極３ａを設けた送信用電極３を装着し、さらに、櫛形電極２ｂに受信用櫛形電極４ａを設けた受信用電極４を装着し、送信用電極３及び受信用電極４にそれぞれリード線５、６を接続したものが提案されている（特許第３２４８６８３号公報参照）。
【０００３】
【発明が解決しようとする課題】
しかしながら、このような濃度計では、液体の特性（密度及び粘度）を測定することができるが、試料載置電極２を腐食するような薬品では、試料載置電極２にこの腐食薬品を載置して測定している間に、薄い電極が腐食してしまうため、試料の測定範囲は限定されるという問題があった。
【０００４】
【課題を解決しようとする手段】
本発明は、板状の圧電基板と、該圧電基板の表面に蒸着されて対向する２辺に櫛形電極を設けた試料載置電極と、前記圧電基板上に載置され、前記試料載置電極の一方の櫛形電極に組み合わせる送信用櫛形電極を設けた送信用電極と、前記圧電基板上に載置され、前記試料載置電極の他方の櫛形電極と組み合わせる受信用櫛形電極を設けた受信用電極とからなる濃度計用センサにおいて、前記試料載置電極、前記櫛形電極、前記送信用櫛形電極、前記送信用電極、前記受信用櫛形電極及び受信用電極を覆うように耐薬品ポリマー膜をコーティングするものである。
【０００５】
【発明の実施の形態】
本発明では、圧電基板の上に装着した試料載置電極、櫛形電極、送信用櫛形電極、送信用電極、受信用櫛形電極及び受信用電極を覆うように耐薬品ポリマー膜をコーティングすることにより、耐薬品ポリマーのコーティング膜の上に試料を載置して、表面弾性波（ＳＨ−ＳＡＷ）を伝播すると、コーティング膜の上に載置した試料に応じて表面弾性波の伝播特性が変化するので、試料の特性（密度及び粘度・濃度）を測定することができる。
【０００６】
【実施例】
図１は本発明の実施例の濃度計用センサの斜視図で、１は圧電基板、２は試料載置電極、２ａ、２ｂは櫛形電極、３は送信用電極、３ａは送信用櫛形電極、４は受信用電極、４ａは受信用櫛形電極、５、６はリード線であり、これらの構成は上記従来例と同じであるので、説明は省略するが、本実施例では、圧電基板１の上に装着した試料載置電極２、櫛形電極２ａ、２ｂ、送信用櫛形電極３ａ、送信用電極３、受信用櫛形電極４ａ及び受信用電極４を覆うように耐薬品ポリマー膜７をコーティングする。
【０００７】
このように構成された本実施例の濃度計用センサでは、耐薬品ポリマー膜７のに試料を載置して、リード線５から送信用電極２を介して表面弾性波（ＳＨ−ＳＡＷ）を入力すると、耐薬品ポリマーのコーティング膜７の上に載置した試料に応じて表面弾性波が伝播することにより変化するので、試料の特性（密度及び粘度・濃度）を測定することができる。
【０００８】
【発明の効果】
以上説明したように、本発明の濃度計用センサは、圧電基板の上に装着した試料載置電極、櫛形電極、送信用櫛形電極、送信用電極、受信用櫛形電極及び受信用電極を覆うように耐薬品ポリマー膜をコーティングすることにより、耐薬品ポリマーのコーティング膜の上に試料を載置して、表面弾性波（ＳＨ−ＳＡＷ）を伝播すると、コーティング膜の上に載置した試料に応じて表面弾性波の伝播特性が変化するので、試料の特性（密度及び粘度・濃度）を測定することができるという利点がある。
【図面の簡単な説明】
【図１】本発明の実施例の濃度計用センサの斜視図である。
【図２】従来例の濃度計用センサの斜視図である。
【符号の説明】
１                圧電基板
２                試料載置電極
３                送信用電極
４                受信用電極
５、６            リード線
７                耐薬品ポリマー膜
【図１】
2004309278.tif 000003
【図２】
2004309278.tif 000004
(57)【要約】【課題】本発明は、界磁制御型交流発電機をブレーキ機能として用い、発熱を少なくし、高精度の負荷トルクを得ることを目的とする。【解決手段】本発明による電動機用負荷試験装置は、電動機（１）に界磁制御型交流発電機（１０）を接続し、出力ライン（１１）の負荷抵抗（１２）と電圧可変による界磁電流の制御とによって発熱の少ないブレーキ作用を得る構成である。【選択図】        図１
2004309256.tif 000002
【特許請求の範囲】
【請求項１】
電動機（１）にジョイント（２）を介して接続された界磁制御型交流発電機（１０）と、前記界磁制御型交流発電機（１０）に接続され電圧（４）を供給するための界磁制御ライン（１３）と、前記界磁制御型交流発電機（１０）の出力ライン（１１）に接続された負荷抵抗（１２）とを備え、
前記電圧（４）を可変として前記界磁制御型交流発電機の界磁電流を制御することにより、前記電動機（１）に対する負荷トルクを制御するように構成したことを特徴とする電動機用負荷試験装置。
【発明の詳細な説明】
【０００１】
【発明の属する技術分野】
本発明は、電動機用負荷試験装置に関し、特に、界磁制御型交流発電機を負荷として用い、発熱の防止、高精度の負荷トルク制御を行うようにするための新規な改良に関する。
【０００２】
【従来の技術】
従来、用いられていたこの種の電動機用負荷試験装置としては、図２に示される構成を挙げることができるが、社内で製作していたものであるため、その構成を示す特許文献等は開示していない。
すなわち、図２で示される構成は、電動機１にジョイント２を介して電磁ブレーキ３が接続され、この電磁ブレーキ３のブレーキ力は印加される電圧４を制御することによって電磁ブレーキ３を制御し、電動機１に対する機械的な制動力を制御していた。
【０００３】
【発明が解決しようとする課題】
従来の電動機用負荷試験装置は、以上のように構成されていたため、次のような課題が存在していた。
すなわち、電磁ブレーキは電圧を可変として摩擦によりそのブレーキ力を制御しているため、大きいブレーキ力をかける場合、及び、長時間ブレーキ力をかける場合等には、電磁ブレーキの発熱が著しく、さらに長期間使用した場合には、ディスクやパッドの交換を必要とし、メンテナンスにも多大のコストがかかっていた。
【０００４】
本発明は、以上のような課題を解決するためになされたもので、特に、界磁制御型交流発電機を負荷として用い、発熱の防止、高精度の負荷制御を行うようにした電動機用負荷試験装置を提供することを目的とする。
【０００５】
【課題を解決するための手段】
本発明による電動機用負荷試験装置は、電動機にジョイントを介して接続された界磁制御型交流発電機と、前記界磁制御型交流発電機に接続され電圧を供給するための界磁制御ラインと、前記界磁制御型交流発電機の出力ラインに接続された負荷抵抗とを備え、前記電圧を可変として前記界磁制御型交流発電機の界磁電流を制御することにより、前記電動機に対する負荷トルクを制御するようにした構成である。
【０００６】
【発明の実施の形態】
以下、図面と共に本発明による電動機用負荷試験装置の好適な実施の形態について説明する。尚、従来例と同一又は同等部分には同一符号を付して説明する。
図１において符号１で示されるものは電動機であり、この電動機１はジョイント２を介して周知の界磁制御型交流発電機１０に接続されている。
【０００７】
前記界磁制御型交流発電機１０の出力ライン１１には予め設定された抵抗値を有する負荷抵抗１２が接続されている。
前記界磁制御型交流発電機１０には、界磁電流を制御するための界磁制御ライン１３が接続され、この界磁制御ライン１３には可変可能な電圧４が印加されるように構成されている。
【０００８】
次に、動作について述べる。まず、試験用の電動機１に界磁制御型交流発電機１０を接続した状態で、電動機１を駆動し、この状態で、界磁制御ライン１２に電圧４を印加することにより、界磁制御型交流発電機１０の界磁電流が可変となり、電動機１の負荷トルクを制御するブレーキ作用としては、負荷抵抗１２と界磁電流の制御の両方に分散されるため、従来のようなブレーキの局所的な発熱現象は避けられる。また、本発明は、特に、高速回転の電動機に対して有効である。
【０００９】
【発明の効果】
本発明による電動機用負荷試験装置は、以上のように構成されているため、次のような効果を得ることができる。
すなわち、電動機に対するブレーキ機能として、界磁制御型交流発電機が接続され、出力ラインの負荷抵抗と界磁電流の制御によってブレーキ作用の制御が行われているため、従来のような発熱を伴うことなく、高精度の負荷トルクをかけることができる。
【図面の簡単な説明】
【図１】本発明による電動機用負荷試験装置を示す構成図である。
【図２】従来構成を示す構成図である。
【符号の説明】
１    電動機
２    ジョイント
４    電圧
１０    界磁制御型交流発電機
１１    出力ライン
１２    負荷抵抗
１３    界磁制御ライン
【図１】
2004309256.tif 000003
【図２】
2004309256.tif 000004